【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能なプロセスカートリッジにおいて、
第一枠体と、
前記第一枠体と、軸を中心にして回動可能に結合している第二枠体と、
前記第一枠体に設けられた電子写真感光体ドラムと、
現像剤を用いて、前記感光体ドラムに形成された静電潜像を現像するための、前記第二枠体に設けられた現像部材と、
前記プロセスカートリッジが前記装置本体に装着された際に、前記装置本体から前記現像部材を回転させるための駆動力を受けるための現像駆動力受け部材であって、前記軸と同軸線上に配置されている現像駆動力受け部材と、
を有することを特徴とするプロセスカートリッジ。
【請求項２】
前記現像駆動力受け部材は、前記現像部材としての現像ローラの長手方向と略直角方向から前記駆動力を受けるものであることを特徴とする請求項１に記載のプロセスカートリッジ。
【請求項３】
前記現像駆動力受け部材は、ギアである、そして、前記ギアは、前記プロセスカートリッジを前記装置本体に装着する装着方向において、前記ギアの中心よりも下流側でもって前記装置本体に設けられている本体ギアと噛合う、ここで、前記プロセスカートリッジは、前記現像ローラの軸線と交差する方向から前記装置本体に装着されることを特徴とする請求項２に記載のプロセスカートリッジ。
【請求項４】
更に、前記プロセスカートリッジが前記装置本体に装着された際に、前記装置本体から前記感光体ドラムを回転させるための駆動力を受けるためのドラム駆動力受け部材を有する、ここで、前記ドラム駆動力受け部材は、前記装置本体から駆動力を受ける際に、前記現像駆動力受け部材が前記装置本体から駆動力を受ける方向と交差する方向から駆動力を受けるこを特徴とする請求項１に記載のプロセスカートリッジ。
【請求項５】
前記現像駆動力受け部材はギアである、ここで、前記ギアは、前記現像部材としての現像ローラの長手方向一端側であって、前記第二枠体に取り付けられていることを特徴とする請求項１に記載のプロセスカートリッジ。
【請求項６】
前記ギアが受けた駆動力は、第一ギア列によって、前記現像ローラに伝達される、また、第二ギア列によって除去現像剤搬送部材に伝達されて前記搬送部材を回転させる、ここで、前記搬送部材は、クリーニング部材によって前記感光体ドラムから除去された現像剤を搬送するものであることを特徴とする請求項５に記載のプロセスカートリッジ。
【請求項７】
更に、前記第二ギア列は、前記現像に用いられる現像剤を収納している現像剤収納部内に設けられた撹拌部材へ駆動力を伝達して、前記撹拌部材を回転させることを特徴とする請求項６に記載のプロセスカートリッジ。
【請求項８】
前記プロセスカートリッジが前記装置本体に装着される装着方向において、前記現像駆動力受け部材は前記ドラム駆動力受け部材よりも下流側に配置されている、そして、前記現像駆動力受け部材と前記ドラム駆動力受け部材は、前記装着方向と交差する方向において、同じ一端側に配置されている、ここで、前記プロセスカートリッジは、前記装置本体に対して、前記感光体ドラムの軸線方向と交差する方向から装着されることを特徴とする請求項１に記載のプロセスカートリッジ。
【請求項９】
前記ドラム駆動力受け部材はカップリング、また、前記現像駆動力受け部材ははす歯ギアである、そして、前記装着方向と交差する方向において前記はす歯ギアは前記カップリングよりも内側に配置されていることを特徴とする請求項８に記載のプロセスカートリッジ。
【請求項１０】
前記装着方向において、前記現像駆動力受け部材は前記ドラム駆動力受け部材よりも下流側に配置されている、そして、前記装着方向において、上流側から下流側にわたって、前記感光体ドラム、前記現像部材としての現像ローラ、前記除去現像剤搬送部材を駆動するクランクがこの順番で配置されている、ここで、前記搬送部材は、クリーニング部材によって前記感光体ドラムから除去された現像剤を搬送するものであることを特徴とする請求項８に記載のプロセスカートリッジ。
【請求項１１】
更に、前記第一枠体は、前記現像に用いられる現像剤を収納している現像剤収納部を有する、そして、前記プロセスカートリッジが前記装置本体に装着された際に、前記現像剤収納部の上方に位置するように、クリーニング部材によって前記感光体ドラムから除去された除去現像剤を収納するための除去現像剤収納部が配置されている、そして、前記搬送部材は、前記除去現像剤収納部内に配置されていることを特徴とする請求項１０に記載のプロセスカートリッジ。
【請求項１２】
電子写真画像形成装置本体に着脱可能なプロセスカートリッジにおいて、
第一枠体と、ここで、前記第一枠体は、前記プロセスカートリッジが前記装置本体に装着された際に、上方に位置するように配置されている、
前記第一枠体と、軸を中心にして回動可能に結合している第二枠体と、
前記第一枠体に設けられた電子写真感光体ドラムと、
現像剤を用いて、前記感光体ドラムに形成された静電潜像を現像するための、前記第二枠体に設けられた現像ローラと、ここで、前記第二枠体は、前記プロセスカートリッジが前記装置本体に装着された際に、下方に位置するように配置されている、
前記現像剤を収納する、前記第二枠体に設けられた現像剤収納部と、
前記感光体ドラムに残留する現像剤を除去するための、前記第二枠体に設けられたクリーニング部材と、
前記クリーニング部材によって除去された現像剤を収納するための、前記第一枠体に設けられた除去現像剤収納部と、ここで、前記プロセスカートリッジが前記装置本体に装着された際に、前記除去現像剤収納部は、前記現像剤収納部の上方に位置するように配置されている、
前記プロセスカートリッジが前記装置本体に装着された際に、前記感光体ドラムを回転駆動させるための駆動力を前記装置本体から受けるための、前記第一枠体に設けられたカップリングと、ここで、前記カップリングは、前記感光体ドラムと同軸線上に配置されている、
前記プロセスカートリッジが前記装置本体に装着された際に、前記装置本体から前記現像部材を回転させるための駆動力を受けるための、前記第二枠体に設けられたはす歯ギアと、ここで、前記プロセスカートリッジが前記装置本体に装着される装着方向において、前記はす歯ギアは前記カップリングの下流側に配置されている、また、前記はす歯ギアは、前記軸と同軸線上に配置されている、また、前記装着方向と交差する方向において、前記はす歯ギアは前記カップリングよりも内側に配置されている、
ここで、前記装着方向において、上流側から下流側にわたって、前記感光体ドラム、前記現像ローラがこの順番で配置されている、また、前記はす歯ギアと前記カップリングは、前記装着方向と交差する方向において、同じ一端側に配置されている、また、前記プロセスカートリッジは、前記装置本体に対して、前記感光体ドラムの軸線方向と交差する方向から装着される、
を有することを特徴とするプロセスカートリッジ。
【請求項１３】
プロセスカートリッジを着脱可能であって、記録媒体に画像を形成するための電子写真画像形成装置において、
（ａ）本体現像駆動力伝達部材と、
（ｂ）第一枠体と、
前記第一枠体と、軸を中心にして回動可能に結合している第二枠体と、
前記第一枠体に設けられた電子写真感光体ドラムと、
現像剤を用いて、前記感光体ドラムに形成された静電潜像を現像するための、前記第二枠体に設けられた現像部材と、
前記プロセスカートリッジが装置本体に装着された際に、前記本体現像駆動力伝達部材から前記現像部材を回転させるための駆動力を受けるための駆動力受け部材であって、前記軸と同軸線上に配置されている現像駆動力受け部材と、
プロセスカートリッジを取り外し可能に装着するための装着手段と、
を有することを特徴とする電子写真画像形成装置。
【請求項１４】
プロセスカートリッジを着脱可能であって、記録媒体に画像を形成するための電子写真画像形成装置において、
（ａ）本体カップリングと、
（ｂ）本体はす歯ギアと、
（ｃ）第一枠体と、ここで、前記第一枠体は、前記プロセスカートリッジが装置本体に装着された際に、上方に位置するように配置されている、
前記第一枠体と、軸を中心にして回動可能に結合している第二枠体と、
前記第一枠体に設けられた電子写真感光体ドラムと、
現像剤を用いて、前記感光体ドラムに形成された静電潜像を現像するための、前記第二枠体に設けられた現像ローラと、ここで、前記第二枠体は、前記プロセスカートリッジが前記装置本体に装着された際に、下方に位置するように配置されている、
前記現像剤を収納する、前記第二枠体に設けられた現像剤収納部と、前記感光体ドラムに残留する現像剤を除去するための、前記第二枠体に設けられたクリーニング部材と、
前記クリーニング部材によって除去された現像剤を収納するための、前記第一枠体に設けられた除去現像剤収納部と、ここで、前記プロセスカートリッジが前記装置本体に装着された際に、前記除去現像剤収納部は、前記現像剤収納部の上方に位置するように配置されている、
前記プロセスカートリッジが前記装置本体に装着された際に、前記感光体ドラムを回転駆動させるための駆動力を前記本体カップリングから受けるための、前記第一枠体に設けられたカップリングと、ここで、前記カップリングは、前記感光体ドラムと同軸線上に配置されている、
前記プロセスカートリッジが前記装置本体に装着された際に、前記本体はす歯ギアから前記現像部材を回転させるための駆動力を受けるための、前記第二枠体に設けられたはす歯ギアと、ここで、前記プロセスカートリッジが前記装置本体に装着される装着方向において、前記はす歯ギアは前記カップリングの下流側に配置されている、また、前記はす歯ギアは、前記軸と同軸線上に配置されている、また、前記装着方向と交差する方向において、前記はす歯ギアは前記カップリングよりも内側に配置されている、
ここで、前記装着方向において、上流側から下流側にわたって、前記感光体ドラム、前記現像ローラがこの順番で配置されている、また、前記はす歯ギアと前記カップリングは、前記装着方向と交差する方向において、同じ一端側に配置されている、また、前記プロセスカートリッジは、前記装置本体に対して、前記感光体ドラムの軸線方向と交差する方向から装着される、
プロセスカートリッジを取り外し可能に装着するための装着手段と、
を有することを特徴とする電子写真画像形成装置。